(57)【要約】【課題】積み重ねられた複層容器を、下部から落下させて１個ずつ取り出す際、重なり合って落下しなかったり、数個同時に落下する所謂ブロッキングを生ずることが無く、しかも一定のスタックハイト内に従来より多数の複層容器を積み重ねることのできる複層容器を提供すること。【解決手段】複層容器の内面を形成する内側胴部材３の容器高さＨの中心Ｏより底部材１６側に近接した高さ位置ＨＡ、ＨＢにおける周方向の複数位置に、周方向に等間隔を存して容器中心線Ｃ−Ｃに向う同一形状の小突出部６、７、８を設け、その頂部９を容器高さ方向において同一位相に位置させ、積み重ねられた上位容器の底部周縁１０を下位の容器の小突出部６、７、８の頂部９で受支する。【選択図】図２
2004099079.tif 000002
【特許請求の範囲】
【請求項１】
複層容器の内面を形成する内側胴部材において、容器高さの中心より底部材側に近接した高さ位置における周方向の複数部位に、周方向に等間隔を存して、容器中心線に向かう同一形状の小突出部が、その頂部を、容器高さ方向において同一位相に位置させられて突設されている複層容器。
【請求項２】
小突出部の頂部の容器中心線方向と周方向との突出幅が、スタック時の上位容器の底部周縁を安定して載置しうる寸法であり、かつ該小突出部の周方向の突出幅と容器上下方向の突出長さとの少なくともいずれか一方の寸法が、スタックハイト内の上位の全複層容器の重量を支持できる耐圧強度を有する寸法とされている請求項１記載の複層容器。
【請求項３】
容器胴部が、断熱層を形成する複数の胴部材で構成され、容器内面を形成する内側胴部材に小突出部が形成されている請求項１または請求項２記載の複層容器。
【発明の詳細な説明】
【０００１】
【発明の属する技術分野】
本発明は、多数の容器がスタッキングされ、最下位の容器から１個ずつ順次取り出されて内容物の充填が行われる複層容器の改良に関する。
【０００２】
【従来の技術】
この種の複層容器としては、胴部に縦長の蒲鉾状凸部を設けてスタック性を良好としたもの、或はプラスチック単層成形の容器の内壁面に突起部を設けてスタック性を良好としたものは知られているが、外観を良好に保ち、しかも断熱効果をも奏すると共にスタックハイトを低くでき、ブロッキングを生じない複層容器に関する技術情報は全く開示されていない。（例えば、特許文献１参照）
【０００３】
【特許文献１】
特開平１１−２７８４５５号公報（第２頁、図１、図２、図８）
【０００４】
【発明が解決しようとする課題】
本発明は、ブロッキングを生じないと共に、一定数の複層容器のスタックハイトを低くでき、或は一定のスタックハイト内に収容できる複層容器数を増加でき、しかも外観を良好に保つことができると共に、把持時の胴部強度の増大、把持胴部の断熱性の向上等を図ることができ、しかも複層容器自体の生産効率の低下を招くことの無い構造の複層容器を提供することを課題としている。
【０００５】
【課題を解決するための手段】
前記課題を解決するため、請求項１の発明では、複層容器の内面を形成する内側胴部材の、容器高さの中心より底部材側に近接した高さの位置における周方向の複数部位に、周方向に等間隔を存して、容器中心線に向う同一形状の小突出部が、その頂部を、容器高さ方向において同一位相に位置させられて突設されているという構成とした。
【０００６】
請求項２の発明では、請求項１の発明に、小突出部の頂部の容器中心線方向と周方向との突出幅が、スタック時の上位容器の底部周縁を安定して載置しうる寸法であり、該小突出部の周方向の突出幅と容器上下方向の突出長さとの少なくともいずれか一方の寸法が所定スタックハイト内の全複層容器の重量を支承できる耐圧強度を有する長さとされているという構成要件を付加した。
【０００７】
請求項３の発明では、請求項１または請求項２のいずれかと発明に、容器胴部が断熱層を形成する複数の胴部材で構成され、容器内面を形成する内側胴部材に小突出部が形成されているという構成要件を付加した。
【０００８】
【発明の実施の形態】
図１及び図２は、請求項１、請求項２及び請求項３の各発明を併せ適用した第１の実施例を示しており、カップ状とされた複層容器１（以下単に容器と略称）は、内側胴部材３と外側胴部材４とで積層形成された胴部５と底部材１６とで図２に示されるごとく形成され、図示例では、外側胴部材４が断熱性の大きい素材と構造とされているが、内側胴部材３と外側胴部材４との間に断熱性の大きい胴部材を介装した多層構造でもよいことは勿論である。
【０００９】
内側胴部材３には、図２に示す容器の高さＨの中心Ｏより底部材１６側に近接した高さ位置ＨＡとＨＢとの間にわたって、容器中心線Ｃ−Ｃに向う同一形状の小突出部６、７、８が、周方向に等間隔を存して複数個所、図示例では４個所に周方向に等間隔を存して、押圧成形手段等で突設されている。図示例では４番目の小突出部は一部切欠図面のため、図示が省略されている。
【００１０】
前記小突出部６、７、８は、その頂部９が容器高さＨの方向において、同一位相に位置させられて、かつ該頂部９の容器中心線Ｃ−Ｃ方向への突出幅Ｗは、スタックされた上位の容器、図２では上位の容器１Ａの底部周縁１０を安定して載置しうる突出幅Ｗとされ、また小突出部６、７、８の周壁１１の容器上下方向、即ち容器１の高さ方向の突出長さＬ即ち、前記高さの位置ＨＡとＨＢとの間の長さＬは、所定のスタックハイト内の全容器の重量を支承できる耐圧強度を保有できる長さに選定されている。
【００１１】
本発明に係る容器１は、前述の構成であり、スタック時の上位の容器１Ａを支承する下位の容器１Ｂの小突出部６、７、８の頂部９の、容器中心線Ｃ−Ｃ方向への突出幅Ｗは、上位の容器１Ａの底部周縁１０を安定して載置しうる寸法とされ、しかも該小突出部６、７，８の周壁１１の容器上下方向、即ち容器１の高さ方向の突出長さＬは容器１内への被収納物の連続充填装置に予め設定されている容器１のスタック数に応じた、即ち１充填ステーションのスタックハイト内の全容器の重量を支承できる耐圧強度とされているので、厚紙のみ、或は厚紙と発泡合成樹脂シート等の複層容器のごとく軽量の容器の場合には、前記小突出部６、７、８の容器１の高さ方向の突出長さＬを短小寸法に選定することにより、従来より多量の容器を所定のスタックハイト内に準備することができ、しかも該小突出部６、７、８の頂部９の突出幅Ｗが上位の容器１Ａの底部周縁１０を安定して載置しうる寸法とされているので、スタックされている多量の容器１をブロッキングを生ずることなく、連続的に供給することができる。
【００１２】
また構造的には、小突出部６、７、８は内側胴部材３の成形時に、ロールによる表面側、即ち容器１の外表面側からの押圧のみで成形できるので、部品増、工程増等を伴うことが無いし、小突出部６、７、８を押圧成形された内側胴部材３は、外側胴部材４で掩蔽されるので外観を損うことも無い。
【００１３】
また小突出部６、７、８は手指による把持時に、補強リブ的な補強作用と、空間の形成による断熱効果の向上作用を発現する。
【００１４】
図３及び図４は第２の実施例たる複層容器２を示しており、小突出部１２、１３、１４が内面胴部材１５の内面に周方向に長く突出形成されている点で図１及び図２に示す第１の実施例と相違している。なお、図示例は一部切欠図であるため、周方向の等間隔を存して形成される４個の小突出部の内の１個は図示が省略されている。
【００１５】
この実施例では小突出部１２、１３、１４が内側胴部材１５の内面周方向に形成されているため、その形成位置は第１の実施例のものに比し、底部材１６に、より一層近接して形成でき、従って一定のスタックハイト内に、より多くの複層容器をスタックさせることができる。
【００１６】
また上位の複層容器の支承面積が広い分だけ、各複層容器の支承が確実となり安定し、小突出部１２、１３、１４の数も、周方向長さを長く採れば２個或は３個でも足りる。また手指による把持時の補強効果、断熱効果も、小突出部１２、１３、１４への形成部位と指腹との接触面積が増大する分だけ増大して感じられる。
【００１７】
【発明の効果】
請求項１の発明によると、スタックされている上位の複層容器の底部周縁を支持する小突出部が容器高さの中心より底部材側に近接した位置に、その頂部を容器高さ方向において同一位相に位置させられているので、スタックハイトを同一とすると、前記頂部が容器高さの中心に接近した従来容器より、スタック数を増大できるし、該小突出部の容器高さ方向の寸法を短小とすれば、スタック数をより一層増加させうる効果を奏する。また小突出部は複層容器の内側胴部材に形成されているので、外面側を外面胴部材で覆われることにより、内側胴部材に押圧手段で形成されても、容器外観をそこねることも無い効果を有する。
【００１８】
更に内側胴部材と外側胴部材との間に小突出部の空間が存することとなり、断熱効果の増加と、把持の胴部材の強度の増大も図りうると共に把持の指腹に対する断熱性も向上させうる等の効果も有する。
【００１９】
更に厚紙、厚紙に類する断熱シート等を素材とする場合には、成形時に小突出部の押圧成形工程を付加するのみで足りるので複層容器の生産効率の低下を招くことも無く、製造設備の増加も押圧成形部材の付加のみで足りるので、生産コストの増加を最少に押える等の効果も有する。
【００２０】
前述の諸効果を奏しうるにも拘らず、スタックされた上位の複層容器はその底部周縁を下位の複層容器の小突出部の頂部で支承されるので個々の複層容器の、ブロッキングを生ずることの無い確実な取り出しを実現できる効果も有する。
【００２１】
請求項２の発明によると、複層容器の小突出部を、容器周方向の突出幅を小さく、容器上下方向の突出長さを大きくとれば大重量を支持できる耐圧強度となり、容器周方向の突出幅を大きくとり、容器上下方向の突出長さを小さくとれば、耐圧強度は前記小突出部より若干低下するものの上位の複層容器の支持が一層安定し、しかも該小突出部を底部材に近接して形成できるので、一定のスタックハイトの内にスタックできる複層容器の数を増加できる等の効果を奏する。
【００２２】
請求項３の発明によると、複層容器が断熱層を形成する複数の胴部材で構成されていても、内側胴部材を小突出部を押圧成形できる資材とすることにより、ブロッキングを生ぜず、良好なスタッキング性を具備する複層容器を提供できる効率を奏する。
【図面の簡単な説明】
【図１】本発明に係る第１の実施例である複層容器の内側胴部材と外側胴部材との組み合わせ直前の状態を一部切欠して示した斜視図である。
【図２】図１に示す複層容器を２個スタックし、一部縦断面として示した側面図である。
【図３】本発明に係る第２の実施例である複層容器の図１と同様の一部切欠斜視図である。
【図４】図３に示す複層容器を２個スタックし、一部を縦断面として示した側面図である。
【符号の説明】
１、２　複層容器
１Ａ　上位の容器
１Ｂ　下位の容器
３　内側胴部材
４　外側胴部材
５　胴部
６、７、８　小突出部
９　小突出部の頂部
１０　底部周縁
１６　底部材
Ｃ−Ｃ　容器の中心線
Ｌ　容器高さ方向の小突出部の突出長さ
Ｈ　容器の高さ
ＨＡ、ＨＢ　高さ位置
Ｏ　中心
Ｗ　突出幅
【図１】
2004099079.tif 000003
【図２】
2004099079.tif 000004
【図３】
2004099079.tif 000005
【図４】
2004099079.tif 000006